(57)【要約】【課題】リムレス眼鏡のような感じを与える一方、構成部品の数が大幅に減少し、重量が軽減される眼鏡フレームの提供を課題とする。【解決手段】本発明の眼鏡フレームは、眼鏡レンズの上部を囲んで組立てられる上部フレーム２１０、鼻受け側に形成されるノーズフレーム、下部フレーム２３０及び眼鏡の脚部と連結される連結フレームを備えた眼鏡レンズ組立フレームを含み、上部フレーム２１０と下部フレーム２３０は眼鏡レンズ１００の形状に対応して変形する非定形である。眼鏡レンズ組立フレームは、内周部分に、眼鏡レンズの外周部分に形成された連結用溝１１０に嵌入される連結用突起２５０を有する。【選択図】図３
2014002386.tif 000002
【特許請求の範囲】
【請求項１】
眼鏡レンズと組み立てられグリルアミドＴＲ合成樹脂から形成された非定形の眼鏡フレームであって、前記非定形の眼鏡フレームは、眼鏡レンズ組立フレームが、眼鏡レンズの上部を囲むように組み付けられる上部フレームと、鼻受け側に形成されるノーズフレームと、下部フレームと、眼鏡の脚部に連結される連結フレームとを備え、前記眼鏡レンズ組立フレームは、内周部分に、眼鏡レンズの外周部分に形成された連結用溝に嵌入される連結用突起が形成され、前記眼鏡レンズ組立フレームは、眼鏡レンズの外周部分の厚さより相対的に薄い断面幅を有し、前記眼鏡レンズ組立フレームの断面幅が０．１５ｍｍ乃至１．２５ｍｍの範囲であり、前記眼鏡レンズ組立フレームのうち上部フレームと下部フレームは、眼鏡レンズの形状に応じて自在に変形することを特徴とする非定形の眼鏡フレーム。
【発明の詳細な説明】
【技術分野】
【０００１】  本発明は、眼鏡レンズの外形に対応して自在に変形可能な非定形の眼鏡フレーム（いわゆるリムレス眼鏡フレーム）に関する。より詳しくは、本発明は、レンズの外周に結合されるレンズ結合ユニットのうち、上部フレ−と下部フレームが非定形であり、眼鏡レンズの外形に対応して自在に変形が可能であり、眼鏡フレームは、軽量で透明性のある透明な合成樹脂で一体に成形され、それにより、使用者が非定形の眼鏡フレームをかけたとき、リムレス眼鏡のように、眼鏡フレームが目視されない、非定形の眼鏡フレームに関する。
【背景技術】
【０００２】  眼鏡フレームはリムの有無により、フルリム眼鏡フレームと、レンズの一部を覆うハーフリム眼鏡フレームと、リムがなく、眼鏡レンズにノーズ連結部と眼鏡の脚部とを直接に固定して連結されるリムレス眼鏡フレームとに分けられる。【０００３】  フルリム眼鏡フレームと異なり、ハーフリム眼鏡フレームは、レンズを取り付けるときボルト締め付けの必要がないから、ボルトの緩みによりレンズが眼鏡フレームから離脱することがなく、またハーフリム眼鏡フレームは、フルリム眼鏡フレームに比べて軽い。韓国登録実用新案第２０−０２７８７４９号に開示のように、従来のハーフリム眼鏡フレームは、一対のレンズ１と、レンズ１の上部を部分的に囲むように構成された眼鏡フレーム２と、レンズ１を固定するための眼鏡フレーム２に両端が固定された透明な固定紐３とからなる。このようなハーフリムメガネでは、釣糸のような透明な固定紐３の両端を眼鏡フレーム２の両側に固定結合して、レンズ１が眼鏡フレーム２に取り付けられるので、レンズ１の一部は眼鏡フレーム２に結合されるが、眼鏡フレーム２と接触しない残余の部分は固定紐３で支持され、それによりレンズ１が眼鏡フレーム２に固定される。【０００４】  しかし、ハーフリムメガネは、固定紐３の両端を眼鏡フレーム２に固定するため別の作業工程が必要となり、構造が複雑であり、それにより製造コストが増大する。さらに眼鏡フレーム２は、眼鏡フレーム２の構造上、形態の維持と固定紐３を固定するため、堅い金属材質で形成する必要があり、眼鏡フレームが重くなる。【０００５】  リムレス眼鏡フレームにおいては、使用者が眼鏡を長時間かける場合、レンズと眼鏡フレームの自重で使用者の鼻に負荷がかかり、鼻の上のメガネがずり落ちてレンズが目から遠ざかるため使用者は眼鏡の位置を頻繁に矯正しなければならない、という問題がある。前記問題を解決するために重量が軽く、鼻にかかる負荷を減らした眼鏡が提案されている。韓国登録実用新案第２０−０４２２７００号に開示のように、リムレス眼鏡フレームは、一対のレンズ１がノーズ支持部９で互いに連結され、連結具５に眼鏡の脚部４が折曲可能に枢着されている。連結具５に形成されたボルト嵌め穴５０１をレンズ１の穴８と一致させ、ボルト６とナット７を用いて、レンズ１を固定するとき、連結具５のボルト嵌め穴５０１の両側に配置された三角突起部５Ａがレンズ１の穴８の両側に固定され、連結具５の回転を防止する。このために、眼鏡の構成部品が多くなり、組立工程が複雑であり、組立用ねじの緩みを防止する安全装置が必要となり、その結果、製造コストが増加する。【０００６】  前記のハーフリム眼鏡フレームとリムレス眼鏡フレームに生ずる問題点を解決するため、本発明にかかる非定形眼鏡フレームは、メガネの組立工程を簡単にし、構成部品の数を減らし、製造コストを低減させる。さらに、本発明にかかる非定形眼鏡フレームは、重量の小さい合成樹脂を用いた射出成形工程で製造されるので、製造工程が簡単であり、生産性が向上する。
【発明の概要】
【発明が解決しようとする課題】
【０００７】  本発明は、従来技術に生ずる前記の問題点を解決するためになされたものであり、本発明にかかる非定形の眼鏡フレームは、眼鏡レンズと組立てられ、合成樹脂で形成されている。非定形の眼鏡フレームは、眼鏡レンズの上部を囲んで組み付けられる上部フレームと、鼻受け側に形成されるノーズフレームと、下部フレームと、眼鏡の脚部に連結される連結フレームとを備えた眼鏡レンズ組立フレームを含む。眼鏡レンズ組立フレームの上部フレームと下部フレームは、眼鏡レンズの形状に対応して自在に変形が可能であり、特定の形態のない非定形である。非定形の眼鏡フレームは、透明なグリルアミドＴＲ（Ｇｒｉｌａｍｉｄ  ＴＲ）材質を使用して一体に成形され、これにより構成部品の数が大幅に減少し、重量が軽減され、リムレス眼鏡フレームのような感じを与える。また非定形の眼鏡フレームは合成樹脂の射出成形工程で製造され、大量生産が可能であり、製造コストが低減する。
【課題を解決するための手段】
【０００８】  本発明にかかる非定形の眼鏡フレームは、眼鏡レンズと組立てられ、合成樹脂で形成されている。非定形の眼鏡フレームは、眼鏡レンズの上部を囲んで組み付けられる上部フレームと、鼻受け側に形成されるノーズフレームと、下部フレームと、眼鏡の脚部に連結される連結フレームとを備えた眼鏡レンズ組立フレームを含み、眼鏡レンズ組立フレームの上部フレームと下部フレームは、眼鏡レンズの形状に対応して自在に変形が可能であり、非定形である。【０００９】  望ましくは、合成樹脂は、透明なグリルアミドＴＲ（Ｇｒｉｌａｍｉｄ  ＴＲ）樹脂を含み、非定形の眼鏡フレームが一体に成形される。【００１０】  望ましくは、眼鏡レンズ組立フレームは、その内周部分に結合用突起を形成し、眼鏡レンズの外周部分に形成された結合用溝と結合される。【００１１】  望ましくは、眼鏡レンズ組立フレームの断面幅は、レンズの外周部分の厚みよりも相対的に薄い。【００１２】  望ましくは、眼鏡レンズ組立フレームの断面幅は、０．５〜１．２３ｍｍの範囲である。【００１３】  また望ましくは、眼鏡レンズ組立レームの断面幅は、０．６〜１ｍｍの範囲である。
【発明の効果】
【００１４】  上記のように、本発明に非定形の眼鏡フレームは、眼鏡レンズと組立てられ、合成樹脂で形成される。非定形の眼鏡フレームは、眼鏡レンズの上部を囲んで組み付けられる上部フレームと、鼻受け側に形成されるノーズフレームと、下部フレームと、眼鏡の脚部（テンプル）に連結される連結フレームとを備えた眼鏡レンズ組立フレームを含む。眼鏡レンズ組立フレームの上部フレームと下部フレームは、眼鏡レンズの形状に対応して自在に変形する非定形である。非定形の眼鏡フレームは、透明なグリルアミドＴＲ（Ｇｒｉｌａｍｉｄ  ＴＲ）材質を使用して一体に成形され、それにより構成部品の数が大幅に減少し、重量が軽減され、リムレス眼鏡フレームのような感じを与える。また非定形の眼鏡フレームは合成樹脂の射出成形工程で製造され、大量生産が可能であり、製造コストが低減する。このようにして、構成部品が多く、組立工程が複雑であり、金属材質の使用により重量が増し、製造コストが増大するというハーフリム、又はリムレス眼鏡フレームにおける問題点を解決することができる。
【図面の簡単な説明】
【００１５】
【図１ａ】  従来のハーフリム眼鏡フレームの組立斜視図である。
【図１ｂ】  従来のフルリム眼鏡フレームの分解斜視図である。
【図２】  本発明の眼鏡フレームの正面図である。
【図３】  図２のＡ−Ａ断面図であって、レンズ周縁と、上部フレーム、下部フレームとの結合状態を示す。
【図４】  レンズを結合する前と後の変形する眼鏡フレームの外形を示す斜視図である。
【図５】  同じくレンズを結合する前と後の変形する眼鏡フレームの外形を示す斜視図である。
【図６】  本発明の非定形の眼鏡フレームに、外形が異なるレンズを結合した場合の変形する眼鏡フレームの外観を示す参考図である。
【図７】  本発明の非定形の眼鏡フレームに、外形が異なるレンズを結合した場合の変形する眼鏡フレームの外観を示す参考図である。
【図８】  本発明の非定形の眼鏡フレームに、外形が異なるレンズを結合した場合の変形する眼鏡フレームの外観を示す参考図である。
【発明を実施するための形態】
【００１６】  以下、本発明の発明を実施するための形態（実施例）を添付の図面を参照して説明する。
【００１７】  図１ａは従来のハーフリム眼鏡フレームの組立斜視図を示し、図１ｂは従来のフルリム眼鏡フレームの分解斜視図を示し、図２は本発明の眼鏡フレームの正面図であり、図３は図２のＡ−Ａ断面図であって、レンズ周縁と、上部フレーム、下部フレームとの結合状態を示し、図４はレンズを結合する前と後の変形する眼鏡フレームの外形を示す斜視図であり、図５は同じくレンズを結合する前と後の変形する眼鏡フレームの外形を示す斜視図であり、そして図６乃至図８は、本発明の非定形の眼鏡フレームに、外形がそれぞれ異なるレンズを結合した場合の変形する眼鏡フレームの外観を示す参考図である。
【００１８】  図１ａに示されるハーフリム眼鏡の場合は、固定紐３の両端を眼鏡フレーム２に固定するための別の作業工程が必要であり、ハーフリム眼鏡の構造が複雑であり、その結果、製造コストが増大する。加えて、その眼鏡フレーム２は、形態の維持と、固定紐３を固定するため、堅い金属材質で製作する必要があるため、眼鏡フレームが重くなる。さらに、図１ｂに示されるリムレス眼鏡フレームの場合は、眼鏡の構成部品が多く、組立工程が複雑であり、組立用ねじが緩まないように、安全装置が必要となるから、製造コストが増大する。
【００１９】  前記の問題点を解決するため、本発明は、眼鏡レンズと組み立てられ、合成樹脂で形成される非定形の眼鏡フレームを提供する。非定形の眼鏡フレームは、眼鏡レンズの上部を囲んで組み付けられる上部フレームと、鼻受け側に形成されるノーズフレームと、下部フレームと、眼鏡の脚部（テンプル）に連結される連結フレームとを備えた眼鏡レンズ組立フレームを含む。眼鏡レンズ組立フレームにおける上部フレームと下部フレームは、眼鏡レンズの形状に対応して自在に変形可能である。非定形の眼鏡フレームは、透明なグリルアミドＴＲ（Ｇｒｉｌａｍｉｄ  ＴＲ）材質を使用して一体に成形され、それにより構成部品の数が大幅に減少し、重量が軽減される。
【００２０】  図２は本発明にかかる眼鏡フレームの正面図である。眼鏡フレーム２００は、眼鏡レンズ１００の上部を囲んで組み立てられる上部リム２１０と、鼻受け側に形成された、眼鏡レンズ１００を囲んで組み立てられるノーズフレーム２２０と、眼鏡レンズ１００の下部を囲んで組み立てられる下部フレーム２３０と、眼鏡の脚部と連結される連結部に設けられた、眼鏡レンズ１００を囲んで組み立てられる連結フレーム２４０とからなる。図２に示される眼鏡フレーム２００の上部フレーム２１０と下部フレーム２３０は、ノーズフレーム２２０と連結フレーム２４０の断面幅に比べて相対的に薄い断面幅を有する。
【００２１】  眼鏡フレーム２００は合成樹脂から形成される。合成樹脂にはポリカーボネート系樹脂とポリアミド系樹脂が含まれる。特にグリルアミドＴＲ（Ｇｒｉｌａｍｉｄ  ＴＲ）樹脂が眼鏡フレーム２００のために使用されるが、それはグリルアミドＴＲ（Ｇｒｉｌａｍｉｄ  ＴＲ）樹脂が耐久性、耐磨耗性、剛性に優れるからである。そしてグリルアミドＴＲ（Ｇｒｉｌａｍｉｄ  ＴＲ）樹脂は、眼鏡フレーム２００がその断面幅０．５〜１．２５ｍｍの範囲では、剛性だけでなく、優れた弾性を現わす。それで、グリルアミドＴＲ（Ｇｒｉｌａｍｉｄ  ＴＲ）樹脂は、眼鏡フレーム２００に使用される好ましい素材である。加えて、眼鏡フレーム２００がその合成樹脂材質で製作されると、眼鏡の重量を減らすことができ、眼鏡をかける使用者にかかる負荷を軽減することができる。
【００２２】  本発明にかかる眼鏡フレーム２００が、グリルアミドＴＲ（Ｇｒｉｌａｍｉｄ  ＴＲ）樹脂の使用により、断面幅０．５〜１．２５ｍｍの範囲で製作されると、図４及び図５に示されるように、眼鏡フレーム２００の上部フレーム２１０と下部フレーム２３０は、眼鏡フレーム２００が眼鏡レンズ１００と組立てられる前には小さい力が加えられても容易にその形態が変形する。しかしこのようなフレキシブルな眼鏡フレーム２００が眼鏡レンズ１００と組み立てられると、フレキシブルな眼鏡フレーム２００の外形は、眼鏡レンズ１００の外形に対応して変形する。
【００２３】  本発明にかかる眼鏡フレーム２００はその断面幅が眼鏡レンズの標準的な厚さ（３〜４．５ｍｍ）より相対的に薄い。例えば、眼鏡フレーム２００はその断面幅が０．５〜１．２５ｍｍの範囲であり、より望ましくは０．６〜１ｍｍの範囲である。眼鏡フレーム２００の断面幅が上記の範囲にあるとき、眼鏡フレーム２００は、引張強度や眼鏡の変形に適した弾性等において、好適な強度を示す。
【００２４】  図４及び図５を参照して上記したように、本発明にかかる眼鏡フレーム２００は、眼鏡レンズ１００が眼鏡フレーム２００と組立てられていないときは自在に変形し、また眼鏡レンズ１００が眼鏡フレーム２００と組立てられるときは眼鏡レンズの外形に対応し、眼鏡フレーム２００の外形が変形する。このような眼鏡の例が図６乃至図８に示されている。これら例示の眼鏡フレームは、同一の眼鏡フレームにそれぞれ相違する外形のレンズを組立てたものである。図６乃至図８から分かるように、眼鏡フレームは、眼鏡フレームの上部フレーム２１０と下部フレーム２３０の外形が互いに相違している。眼鏡フレームは、眼鏡レンズの外形に対応する眼鏡フレームの変形が目視で確認されるように色（黒色）が付されている。
【００２５】  本発明にかかる眼鏡フレーム２００はそのサイズが眼鏡レンズ１００に比べて相対的に小さく、透明な樹脂を使用し、射出成形工程により継ぎ目がなく一体に形成されているので、眼鏡フレーム２００はリムのないリムレス眼鏡フレームのような感じを与える。
【００２６】  以下に眼鏡フレームと眼鏡レンズの組立原理を説明する。眼鏡フレーム２００を構成する上部フレーム２１０、ノーズフレーム２２０、下部フレーム２３０及び連結フレーム２４０にはその内周部分に結合用突起２５０が形成されている。さらに眼鏡レンズ１００にはその外周部分に眼鏡フレーム２００に形成された結合用突起２５０に対応する結合用溝１１０が形成されている。眼鏡フレーム２００の結合用突起２５０は眼鏡レンズ１００の結合用溝１１０に嵌入されるが、それにより眼鏡レンズ１００がボルトや固定紐で眼鏡フレーム２００に結合される場合に比べ、眼鏡レンズ１００が眼鏡フレーム２００と安定して結合されるから、眼鏡レンズ１００が眼鏡フレーム２００から離脱するのを防止できる。
【００２７】  以上、図面を参照して実施例を説明したが、ここに開示の原理及び精神を逸脱しない範囲で通常の技術的知識を有する者による多くの他の修正や具体例の案出が可能であることが理解されるべきである。より詳しくは、開示の範囲、図面、添付請求の範囲内での構成部分や配置における種々の変形や修正が可能である。さらに構成部分や配置の変形に加え、代替的使用についても通常の技術的知識を有する者にとって明らかである。
【符号の説明】
【００２８】１  レンズ
２  眼鏡フレーム
３  固定紐
４  脚部
５  連結具
６  ボルト
７  ナット
８  穴
５Ａ  三角突起部
５０１  ボルト嵌め穴
１００  レンズ
１１０  レンズ結合用溝
２００  眼鏡フレーム
２１０  上部フレーム
２２０  ノーズフレーム
２３０  下部フレーム
２４０  連結フレーム
２５０  結合用突起
【図１ａ】
2014002386.tif 000003
【図１ｂ】
2014002386.tif 000004
【図２】
2014002386.tif 000005
【図３】
2014002386.tif 000006
【図４】
2014002386.tif 000007
【図５】
2014002386.tif 000008
【図６】
2014002386.tif 000009
【図７】
2014002386.tif 000010
【図８】
2014002386.tif 000011